(57)【要約】  本開示のユーザ管理方法は、機器を識別するための機器識別情報と、機器を使用するユーザを識別するためのユーザ情報と、前記機器が使用されたときの機器の動作状態とを含む機器利用情報を記憶する記憶ステップ（Ｓ１０１）と、記憶ステップ（Ｓ１０１）において記憶された機器利用情報を分析することで、機器が有する複数の機能のうち、閾値以下の使用頻度で使用された第１機能を特定する利用分析ステップ（Ｓ１０２）と、利用分析ステップ（Ｓ１０２）において特定された第１機能の使用を促す通知を、ユーザに対して行う通知ステップ（Ｓ１０３）と、を含む。
2014068855.tif 000002
【特許請求の範囲】
【請求項１】
機器を識別するための機器識別情報と、前記機器を使用するユーザを識別するためのユーザ情報と、前記機器が使用されたときの前記機器の動作状態とを含む機器利用情報を記憶する記憶ステップと、
前記記憶ステップにおいて記憶された前記機器利用情報を分析することで、前記機器が有する複数の機能のうち、閾値以下の使用頻度で使用された第１機能を特定する利用分析ステップと、
前記利用分析ステップにおいて特定された前記第１機能の使用を促す通知を、前記ユーザに対して行う通知ステップと、を含む、
ユーザ管理方法。
【請求項２】
前記利用分析ステップにおいては、
前記機器利用情報に基づき、前記機器が有する前記複数の機能のうち、前記機器利用情報に示される前記機器の動作状態を実現する第２機能を特定し、かつ、特定した前記第２機能それぞれの使用頻度を算出し、
前記ユーザにより使用された前記機器の前記第２機能のうち閾値以下の使用頻度で使用された機能と前記複数の機能のうち前記第２機能を除く機能であって前記ユーザにより使用されなかった機能とを、前記第１機能として特定する、
請求項１に記載のユーザ管理方法。
【請求項３】
前記閾値は、ゼロであり、
前記第１機能は、前記機器が有する機能のうち前記ユーザにより一度も使用されていない機能である、
請求項１に記載のユーザ管理方法。
【請求項４】
前記通知ステップにおいては、特定された前記第１機能のうち、前記機器のメンテナンスを実行するための第１機能の使用を促す通知を、前記ユーザに対して行う、
前記１〜３のいずれか１項に記載のユーザ管理方法。
【請求項５】
さらに、前記ユーザ情報をランク付けするためのポイントを付与するユーザランク決定ステップを含み、
前記ユーザランク決定ステップにおいては、前記機器が有する機能の数のうち前記第１機能の数が少ないほど高いポイントを、前記機器を使用するユーザのユーザ情報に付与する、
請求項１〜４のいずれか１項に記載のユーザ管理方法。
【請求項６】
さらに、予め定めたポイント以上に前記ポイントが付与された前記ユーザ情報に示されるユーザが使用する前記機器の保証期間を延長する特典付与ステップを含む、
請求項５に記載のユーザ管理方法。
【請求項７】
さらに、予め定めたポイント以上に前記ポイントが付与された前記ユーザ情報に、所定のコミュニティにおける行為を許可する資格を付与する特典付与ステップを含む、
請求項５に記載のユーザ管理方法。
【請求項８】
前記機器は、複数あり、
前記利用分析ステップにおいては、さらに、前記記憶ステップにおいて記憶された機器利用情報を分析し、前記複数の機器のうち同時間帯に使用されている２以上の機器を特定することにより前記複数の機器を使用するユーザが家事を効率化している度合いを算出する、
請求項１に記載のユーザ管理方法。
【請求項９】
さらに、複数の前記機器それぞれと通信することで、前記複数の機器それぞれの機器利用情報を受信する通信ステップを含み、
前記機器識別情報は、前記複数の機器それぞれの種別を識別するための情報であり、
前記利用分析ステップにおいては、前記複数の機器それぞれの機器利用情報を分析することで、前記複数の機器それぞれの種別が有する複数の機能のうち、前記複数の機器それぞれの種別に定められた閾値以下の使用頻度で使用された機能を、前記第１機能として、特定する、
請求項１〜４のいずれか１項に記載のユーザ管理方法。
【請求項１０】
さらに、前記ユーザ情報をランク付けするためのポイントを付与するユーザランク決定ステップを含み、
前記ユーザランク決定ステップにおいては、前記複数の機器の種別のうちの２以上の機器の種別を使用するユーザのユーザ情報のうち、当該２以上の機器のそれぞれの種別が有する機能のうち特定された前記第１機能の数が少ない当該２以上の機器を使用するユーザのユーザ情報ほど高いポイントを付与する、
請求項９に記載のユーザ管理方法。
【請求項１１】
機器を識別するための機器識別情報と、前記機器を使用するユーザを識別するためのユーザ情報と、前記機器が使用されたときの前記機器の動作状態とを含む機器利用情報を記憶する機器情報記憶部と、
前記機器情報記憶部に記憶されている機器利用情報を分析することで、前記機器が有する複数の機能のうち、閾値以下の使用頻度で使用された第１機能を特定する利用分析部と、
前記利用分析部により特定された前記第１機能の使用を促す通知を、前記ユーザに対して行う通知部と、を備える、
サーバ装置。
【請求項１２】
機器と、サーバ装置とを備えるユーザ管理システムであって、
前記サーバ装置は、
前記の機器を識別するための機器識別情報と、前記機器を使用するユーザを識別するためのユーザ情報と、前記機器それぞれが使用されたときの前記機器の動作状態とを含む機器利用情報を記憶する機器情報記憶部と、
前記機器情報記憶部に記憶されている機器利用情報を分析することで、前記機器が有する複数の機能のうち、閾値以下の使用頻度で使用された第１機能を特定する利用分析部と、
前記利用分析部により特定された前記第１機能の使用を促す通知を、前記ユーザに対して行う通知部と、を備える、
ユーザ管理システム。
【発明の詳細な説明】
【技術分野】
【０００１】
本発明は、ユーザ管理方法、サーバ装置およびユーザ管理システムに関する。
【背景技術】
【０００２】
端末装置に対するユーザの使い方の遷移を予測するためのモデルを操作履歴から生成する技術がある（特許文献１参照）。
【先行技術文献】
【特許文献】
【０００３】
【特許文献１】ＷＯ２０１０−０１０６５３号公報
【発明の概要】
【発明が解決しようとする課題】
【０００４】
しかしながら、上記の従来技術では、複数の機能が搭載されている機器をユーザに使いこなしてもらうための情報を提供できない。【０００５】
そこで、本発明は、上述の事情を鑑みてなされたもので、複数の機能が搭載されている機器をユーザに使いこなしてもらうための情報を提供することができるユーザ管理方法、サーバ装置およびユーザ管理システムを提供することを目的とする。
【課題を解決するための手段】
【０００６】
前記目的を達成するために、本発明の一態様に係るユーザ管理方法は、機器を識別するための機器識別情報と、前記機器を使用するユーザを識別するためのユーザ情報と、前記機器が使用されたときの前記機器の動作状態とを含む機器利用情報を記憶する記憶ステップと、前記記憶ステップにおいて記憶された前記機器利用情報を分析することで、前記機器が有する複数の機能のうち、閾値以下の使用頻度で使用された第１機能を特定する利用分析ステップと、前記利用分析ステップにおいて特定された前記第１機能の使用を促す通知を、前記ユーザに対して行う通知ステップと、を含む。【０００７】
なお、これらの全般的または具体的な態様は、システム、方法、集積回路、コンピュータプログラムまたはコンピュータで読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本発明のユーザ管理方法等によれば、複数の機能が搭載されている機器をユーザに使いこなしてもらうための情報を提供することができる。
【図面の簡単な説明】
【０００９】
【図１】図１は、実施の形態におけるユーザ管理システムの構成図である。
【図２】図２は、実施の形態における機器の構成の一例を示すブロック図である。
【図３】図３は、実施の形態における機器が保持するデータ構造の一例を示す図である。
【図４】図４は、実施の形態におけるサーバ装置の構成の一例を示すブロック図である。
【図５】図５は、実施の形態におけるサーバ装置が保持するデータ構造の一例を示す図である。
【図６】図６は、実施の形態における家事の効率化の一例を示す図である。
【図７Ａ】図７Ａは、実施の形態における特典情報の一例を示す図である。
【図７Ｂ】図７Ｂは、実施の形態における特典情報の一例を示す図である。
【図８】図８は、実施の形態における特典情報の別の一例を示す図である。
【図９】図９は、実施の形態におけるサーバ装置の動作を示すフローチャートである。
【発明を実施するための形態】
【００１０】
（本発明の基礎となった知見）
本発明者は、「背景技術」の欄において記載した特許文献１に開示される技術に関し、以下の問題が生じることを見出した。
【００１１】
特許文献１では、使い方クラスタ生成部は、操作履歴情報から算出される使い方の特徴を表す特徴量が似ているユーザ同士からなる複数のユーザ群を生成する。具体的には、使い方クラスタ生成部は、複数の第１のユーザの端末装置に対する操作履歴情報に基づいて、複数のユーザ群を生成する。また、使い方遷移モデル生成部は、ユーザ群間の遷移関係を表す使い方遷移モデルを生成する。具体的には、使い方遷移モデル生成部は、複数の第２のユーザの端末装置に対する操作履歴情報のそれぞれを分割した各分割区間の操作履歴情報毎に、その特徴量が複数のユーザ群の使い方特徴のうちの何れに類似するかを分析し、その分析結果に基づいて使い方遷移モデルを生成する。
【００１２】
ところで、テレビや洗濯機などの機器には、例えば機器のメンテナンス（手入れ）をするための機能など多くの機能が搭載されている。多くの機能の中には、ユーザに知られていないなどの理由で使われていない機能も存在する。
【００１３】
しかしながら、上記特許文献１に開示される従来構成では、ユーザが機器をどれだけ使いこなしているかを把握することができないため、複数の機能が搭載されている機器をユーザに使いこなしてもらうための情報を提供できないという問題がある。
【００１４】
そこで、本発明の一態様は、かかる問題に鑑みてなされたものであって、複数の機能が搭載されている機器をユーザに使いこなしてもらうための情報を提供することができるユーザ管理方法、サーバ装置およびユーザ管理システムを提供することを目的とする。
【００１５】
上記目的を達成するために、本発明の一態様に係るユーザ管理方法は、機器を識別するための機器識別情報と、前記機器を使用するユーザを識別するためのユーザ情報と、前記機器が使用されたときの前記機器の動作状態とを含む機器利用情報を記憶する記憶ステップと、前記記憶ステップにおいて記憶された前記機器利用情報を分析することで、前記機器が有する複数の機能のうち、閾値以下の使用頻度で使用された第１機能を特定する利用分析ステップと、前記利用分析ステップにおいて特定された前記第１機能の使用を促す通知を、前記ユーザに対して行う通知ステップと、を含む。
【００１６】
これにより、複数の機能が搭載されている機器をユーザに使いこなしてもらうための情報を提供することができるユーザ管理方法を実現することができる。
【００１７】
具体的には、本態様のユーザ管理方法によれば、機器を使いこなすための情報として、第１機能を特定し、特定した第１機能の使用を促す通知をユーザに行うことにより、機器を使いこなすための情報の提供をすることができる。
【００１８】
ここで、例えば、前記利用分析ステップにおいては、前記機器利用情報に基づき、前記機器が有する前記複数の機能のうち、前記機器利用情報に示される前記機器の動作状態を実現する第２機能を特定し、かつ、特定した前記第２機能それぞれの使用頻度を算出し、前記ユーザにより使用された前記機器の前記第２機能のうち閾値以下の使用頻度で使用された機能と前記複数の機能のうち前記第２機能を除く機能であって前記ユーザにより使用されなかった機能とを、前記第１機能として特定するとしてもよい。
【００１９】
これにより、ユーザが使いこなせていない機能を特定することができるので、ユーザに、機器の第１機能の使用を促す通知を行うことができる。
【００２０】
ここで、例えば、前記閾値は、ゼロであり、前記第１機能は、前記機器が有する機能のうち前記ユーザにより一度も使用されていない機能であるとしてもよい。
【００２１】
これにより、ユーザが使っていない機器の第１機能を特定することができるので、ユーザに、機器の第１機能の使用を促す通知を行うことができる。
【００２２】
また、例えば、前記通知ステップにおいては、特定された前記第１機能のうち、前記機器のメンテナンスを実行するための第１機能の使用を促す通知を、前記ユーザに対して行うとしてもよい。
【００２３】
これにより、ユーザが使っていない機器の第１機能のうち機器のメンテナンスを実行するための第１機能を特定することができるので、ユーザに、機器のメンテナンスを実行するための第１機能の使用を促す通知を行うことができる。
【００２４】
また、例えば、さらに、前記ユーザ情報をランク付けするためのポイントを付与するユーザランク決定ステップを含み、前記ユーザランク決定ステップにおいては、前記機器が有する機能の数のうち前記第１機能の数が少ないほど高いポイントを、前記機器を使用するユーザのユーザ情報に付与するとしてもよい。
【００２５】
これにより、機器を使いこなすインセンティブをユーザに与えることができる。
【００２６】
ここで、例えば、さらに、予め定めたポイント以上に前記ポイントが付与された前記ユーザ情報に示されるユーザが使用する前記機器の保証期間を延長する特典付与ステップを含むとしてもよい。
【００２７】
これにより、機器を使いこなすインセンティブをユーザに与えることができる。
【００２８】
また、例えば、さらに、予め定めたポイント以上に前記ポイントが付与された前記ユーザ情報に、所定のコミュニティにおける行為を許可する資格を付与する特典付与ステップを含むとしてもよい。
【００２９】
これにより、機器を使いこなすインセンティブをユーザに与えることができる。
【００３０】
また、例えば、前記機器は、複数あり、前記利用分析ステップにおいては、さらに、前記記憶ステップにおいて記憶された機器利用情報を分析し、前記複数の機器のうち同時間帯に使用されている２以上の機器を特定することにより前記複数の機器を使用するユーザが家事を効率化している度合いを算出するとしてもよい。
【００３１】
これにより、機器をユーザに使いこなしてもらい、家事を効率化するための情報を提供することができる。
【００３２】
また、例えば、さらに、複数の前記機器それぞれと通信することで、前記複数の機器それぞれの機器利用情報を受信する通信ステップを含み、前記機器識別情報は、前記複数の機器それぞれの種別を識別するための情報であり、前記利用分析ステップにおいては、前記複数の機器それぞれの機器利用情報を分析することで、前記複数の機器それぞれの種別が有する複数の機能のうち、前記複数の機器それぞれの種別に定められた閾値以下の使用頻度で使用された機能を、前記第１機能として、特定するとしてもよい。
【００３３】
これにより、それぞれ複数の機能が搭載されている複数の機器を、それぞれの機器を使用するユーザに使いこなしてもらうための情報を提供することができる。
【００３４】
また、例えば、さらに、前記ユーザ情報をランク付けするためのポイントを付与するユーザランク決定ステップを含み、前記ユーザランク決定ステップにおいては、前記複数の機器の種別のうちの２以上の機器の種別を使用するユーザのユーザ情報のうち、当該２以上の機器のそれぞれの種別が有する機能のうち特定された前記第１機能の数が少ない当該２以上の機器を使用するユーザのユーザ情報ほど高いポイントを付与するとしてもよい。
【００３５】
これにより、複数の機器を使いこなすインセンティブをユーザに与えることができる。
【００３６】
また、上記目的を達成するために、本発明の一態様に係るサーバ装置は、例えば、機器を識別するための機器識別情報と、前記機器を使用するユーザを識別するためのユーザ情報と、前記機器が使用されたときの前記機器の動作状態とを含む機器利用情報を記憶する機器情報記憶部と、前記機器情報記憶部に記憶されている機器利用情報を分析することで、前記機器が有する複数の機能のうち、閾値以下の使用頻度で使用された第１機能を特定する利用分析部と、前記利用分析部により特定された前記第１機能の使用を促す通知を、前記ユーザに対して行う通知部と、を備える。
【００３７】
また、上記目的を達成するために、本発明の一態様に係るユーザ管理システムは、例えば、機器と、サーバ装置とを備えるユーザ管理システムであって、前記サーバ装置は、前記の機器を識別するための機器識別情報と、前記機器を使用するユーザを識別するためのユーザ情報と、前記機器それぞれが使用されたときの前記機器の動作状態とを含む機器利用情報を記憶する機器情報記憶部と、前記機器情報記憶部に記憶されている機器利用情報を分析することで、前記機器が有する複数の機能のうち、閾値以下の使用頻度で使用された第１機能を特定する利用分析部と、前記利用分析部により特定された前記第１機能の使用を促す通知を、前記ユーザに対して行う通知部と、を備える。
【００３８】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３９】
以下、本発明の実施の形態について、図面を参照しながら説明する。
【００４０】
（実施の形態）
図１は、実施の形態におけるユーザ管理システムの構成図である。
【００４１】
図１に示すユーザ管理システム１は、機器１０と、サーバ装置２０と、を備え、機器１０およびサーバ装置２０は、ネットワーク３０で接続されている。
【００４２】
［機器］
図２は、実施の形態における機器の構成の一例を示すブロック図であり、図３は、実施の形態における機器が保持するデータ構造の一例を示す図である。
【００４３】
機器１０は、複数の機能が搭載されており、ユーザの指示や操作により機能が実行される。機器１０は、図２に示すように、通信部１０１と、記憶部１０２と、制御部１０３と、入力部１０４とを備える。機器１０は、例えばテレビ、エアコン、冷蔵庫、洗濯機、掃除機、空気清浄機、電動歯ブラシ、ドライヤー等の家電である。また機器１０は、パーソナルコンピュータ、携帯電話、スマートフォン、タブレットといった情報端末であってもよいし、血糖値センサ装置等のセンサ機器であってもよいし、トイレ、バスルーム、ミラー、照明等の複数の機能が搭載された機器またはシステムであってもよい。つまり、機器１０は、上記の種別のいずれでもよい。
【００４４】
記憶部１０２は、プログラム、ユーザに関連するデータ、機器１０を制御するための制御データなどのデータを記憶する。
【００４５】
本実施の形態では、記憶部１０２は、機器１０を識別するための機器識別情報、機器１０を使用するユーザを識別するためのユーザ情報、および、機器１０がユーザにより使用されたときの機器１０の動作状態などを記憶し、これら情報をサーバ装置２０に送付済みがどうかも記憶する。記憶部１０２は、例えば図３に示すようなデータ構造で情報を記憶するとしてもよい。すなわち、記憶部１０２は、ユーザ情報としてユーザＩＤと、動作状態と、これら情報が送付されたかを示す送付フラグとを紐付けるデータ構造（テーブル）を記憶するとしてもよい。
【００４６】
ここで、ユーザ情報は、機器１０を使用するユーザを識別するための情報であり、ユーザ毎に固有の識別子（以下、ユーザＩＤという）を含む。ユーザＩＤは、複数のユーザそれぞれに付与されるとしてもよいし、機器１０を使用するユーザの集合に付与されるとしてもよい。例えば、ユーザＩＤは、例えば、家族や同居人毎などのユーザ毎に付与されるとしてもよい。なお、ユーザ情報は、機器１０の購入時などの適切なタイミングで、オフラインまたはオンライン操作により記憶部１０２に記録される。
【００４７】
機器識別情報は、機器１０を一意に識別するための識別子であってもよいし、機器１０の種別を識別するための情報であってもよい。本実施の形態では、機器識別情報は、例えば固有の識別子（以下、機器ＩＤという）などであり、機器１０毎に予め割り当てられている。例えばこの機器ＩＤは、機器１０の製造時に機器１０の記憶部１０２に記録される。なお、機器ＩＤは、機器の製造時に記憶部１０２に記録される場合に限らず、適切なタイミングでオフラインまたはオンライン操作によって記憶部１０２に記録されるとしてもよい。
【００４８】
通信部１０１は、ネットワーク３０に接続し、ネットワーク３０を介してサーバ装置２０と接続する。通信部１０１は、プログラムの送受信、ユーザに関連するデータの送受信、機器１０を制御するための制御データの送受信などのデータ送受信をサーバ装置２０と行う。
【００４９】
本実施の形態では、通信部１０１は、機器識別情報、ユーザ情報、および、機器１０の動作状態などをサーバ装置２０に送信する。
【００５０】
入力部１０４は、機器１０を操作するための情報が入力される。入力部１０４は、ユーザの指示または操作が行われることにより、機器１０を操作するための情報が入力される。
【００５１】
制御部１０３は、機器１０を制御する。具体的には、制御部１０３は、ユーザによる指定または操作により、機器１０に搭載されている複数の機能のうちの少なくも一つの機能を実行する。例えば、機器１０が電子レンジなら、制御部１０３は、ユーザの指示または操作により、温め機能、オーブン機能、レシピ実行機能などの複数の機能のうちの温め機能を実行したり、オーブン機能を実行したりする。
【００５２】
また、制御部１０３は、機器１０の動作状態を管理する。機器１０の動作状態が変化するのは、例えば、入力部１０４に新たな操作や新たな操作を行う旨の指示が入力された時などである。制御部１０３は、機器１０の動作状態が変化した場合、その動作状態とともにユーザＩＤを紐付けて記憶部１０２に記憶する。
【００５３】
また、制御部１０３は、機器１０に電源が供給されている間は５分に１回程度の頻度など、予め定めたタイミングで定期的に、通信部１０１を介して、機器１０の動作状態を示す情報をサーバ装置２０に送信する。より具体的には、制御部１０３は、ユーザＩＤと機器ＩＤと機器状態とを通信部１０１を介して、サーバ装置２０に送信する。なお、制御部１０３は、ユーザＩＤと機器ＩＤと機器状態とを含む機器利用情報を、通信部１０１を介してサーバ装置２０に送信するとしてもよい。また、制御部１０３がユーザＩＤ、機器ＩＤおよび機器状態をサーバ装置２０に送信するタイミングや頻度は、予め定めたタイミングでなくてもよく、任意でもよい。
【００５４】
［サーバ装置］
図４は、実施の形態におけるサーバ装置の構成図の一例を示すブロックであり、図５は、実施の形態におけるサーバ装置が保持するデータ構造の一例を示す図である。
【００５５】
サーバ装置２０は、複数の機能が搭載されている機器１０をユーザに使いこなしてもらうための情報を提供する。具体的には、図４に示すように、通信部２０１と、機器情報記憶部２０２と、利用分析部２０３と、通知部２０４と、ユーザランク決定部２０５と、特典付与部２０６とを備える。
【００５６】
ここで、サーバ装置２０は、具体的には図示されていないマイクロプロセッサ、及びＲＯＭ、ＲＡＭ、ハードディスクなどから構成される。ＲＯＭ、ＲＡＭ、ハードディスクにはコンピュータプログラムが記憶されており、マイクロプロセッサがプログラムに従って動作することにより、サーバ装置２０の機能を実行する。本実施の形態では、通信部２０１と機器情報記憶部２０２と利用分析部２０３とユーザランク決定部２０５と特典付与部２０６との各機能ブロックは、ソフトウェアで実現されてもよいし、集積回路であるＬＳＩ（Ｌａｒｇｅ  Ｓｃａｌｅ  Ｉｎｔｅｇｒａｔｉｏｎ：大規模集積回路）とソフトウェアの組み合わせ、もしくは、ＬＳＩで実現されてもよい。
【００５７】
（１）通信部２０１
通信部２０１は、各機器から送信された機器の動作状態とそれに関連付けられたユーザの情報を受信する。
【００５８】
本実施の形態では、通信部２０１は、複数の機器１０それぞれと通信することで、複数の機器１０それぞれの機器利用情報を受信する。ここで、機器利用情報は、上述したように、機器識別情報と、機器１０を使用するユーザを識別するためのユーザ情報と、機器１０の動作状態とを含む情報である。なお、通信部２０１は、複数の機器１０それぞれから機器利用情報そのものを受信するとしてもよいし、機器識別情報と、機器１０を使用するユーザを識別するためのユーザ情報と、機器１０の動作状態とを、機器利用情報として受信するとしてもよい。
【００５９】
（２）機器情報記憶部２０２
機器情報記憶部２０２は、通信部２０１で受信した機器１０の動作状態とそれに関連付けられたユーザ情報を記憶する。
【００６０】
本実施の形態では、機器情報記憶部２０２は、機器１０を識別するための機器識別情報と、機器１０を使用するユーザを識別するためのユーザ情報と、機器１０が使用されたときの機器１０の動作状態とを含む機器利用情報を記憶する。
【００６１】
機器情報記憶部２０２は、例えば図５に示すようなデータ構造で機器利用情報を記憶するとしてもよい。すなわち、機器情報記憶部２０２は、ユーザ情報としてのユーザＩＤと、機器識別情報としての機器ＩＤと、機器１０の動作状態とを紐付けて機器利用情報として記憶するとしてもよい。なお、機器利用情報は、ユーザが対応する機器の機能を用いたときの動作状況を記録した使用履歴とも言える。
【００６２】
なお、図５に示す例では、機器ＩＤの先頭のアルファベットが機器１０の種別を表しており、先頭から２文字目の数字は当該機器１０が提供する情報の重要度のレベルを１（低）〜９（高）の９段階で表している例えば、機器ＩＤがＯ６３２１４Ａである機器１０は、先頭の文字がＯであることからオーブンレンジであることを示し、先頭から２文字目の６が、当該オーブンレンジが提供する情報の重要度のレベルが６であることを示している。
【００６３】
同じ機器の種別であっても、機種によって搭載されているセンサ等が異なるため、機器が提供する情報の重要度は変わる。例えば、空気清浄機のすべての機種に、ハウスダストを検出するセンサが搭載されている一方で、においセンサは上位機種のみに搭載され、中位機種、下位機種には搭載されていない場合、上位機種が提供する情報の重要度のレベルは、中位機種や下位機種が提供する情報の重要度のレベルよりも高くなる。また、においセンサが搭載されている機種の中でも、においの種類の判別の精度によって、各機種が提供する情報の重要度のレベルに差が出る。
【００６４】
また、例えば「洗濯乾燥おまかせモード」、「洗濯槽洗浄」、「調理メニュＮｏ．××」は、該当機器の動作状態を示している。
【００６５】
（３）利用分析部２０３
利用分析部２０３は、機器情報記憶部２０２に記憶されている機器利用情報を分析し、複数の機能が搭載されている機器１０をユーザが使いこなしているかどうかを示す指標（機器の使いこなし度）を算出する。
【００６６】
具体的には、利用分析部２０３は、機器情報記憶部２０２に記憶されている機器利用情報を分析することで、機器１０が有する複数の機能のうち、閾値以下の使用頻度で使用された第１機能を特定する。ここで、機能の使用頻度とは、所定期間において、その機能を使用した回数または期間である。所定期間は、例えば１週間や１月などの一定期間でもよいし、使用開始から現在までの期間でもよい。
【００６７】
より具体的には、利用分析部２０３は、機器利用情報に基づき、機器１０が有する複数の機能のうち、機器利用情報に示される機器１０の動作状態を実現する第２機能を特定し、かつ、特定した第２機能それぞれの使用頻度を算出し、ユーザにより使用された機器１０の第２機能のうち閾値以下の使用頻度で使用された機能と複数の機能のうち第２機能を除く機能であってユーザにより使用されなかった機能とを、第１機能として特定する。
【００６８】
ここで、例えば、第１機能は、所定期間において、機器が有する機能のうちその機器１０を使用するユーザにより一度も使用されていない機能であってもよい（閾値がゼロの場合）。
【００６９】
また、利用分析部２０３は、機器１０が有する（搭載された）全機能数から第１機能の数を差し引いた機器の利用カバー率を、上記の使いこなし度を示す指標の一例として算出してもよい。つまり、利用分析部２０３は、機器情報記憶部２０２に記憶されている機器利用情報から、各ユーザについて少なくとも機器１０に搭載された機能の利用カバー率を算出するとしてもよい。これにより、利用分析部２０３は、機器１０の使いこなし度を数値化することができるので、機器１０に搭載された機能のうちどれだけの機能が使用されたかを示す機能の「網羅性」を評価できる。
【００７０】
なお、説明を簡単にするため、機器１０が一つであり機器１０を使用するユーザが一人であるとして説明したが、それに限らない。複数の機器１０それぞれに対する第１機能をユーザ毎に特定し、利用カバー率および使いこなし度をユーザ毎に算出するとしてもよい。この場合、閾値は、機器１０の種別毎に異なる値に設定されるとし、利用カバー率および使いこなし度の分母となる全機能を、機器１０の種別ごとに搭載されるすべての機能を指すとすればよい。
【００７１】
具体的には、利用分析部２０３は、複数の機器それぞれの機器利用情報を分析することで、複数の機器それぞれの種別が有する複数の機能のうち、複数の機器それぞれの種別に定められた閾値以下の使用頻度で使用された機能を、第１機能として、特定するとしてもよい。これにより、異なるユーザ間で同一種別（同一機種）の機器１０での第１機能、利用カバー率および使いこなし度を比較することができる。それにより、同一種別の機器１０を使用する複数のユーザにおいてあまり使われていない機能を使用しているユーザを特定することもできる。また、機器１０をユーザに使いこなしてもらうために、特典情報、第１機能の使用を促す通知情報などをユーザに提供するとしてもよい。
【００７２】
また、利用分析部２０３は、機器情報記憶部２０２に記憶されている機器利用情報を分析することで、同時に複数の機器１０を稼働させて例えば家事を効率化している度合いを、機器の使いこなし度として分析するとしてもよい。より具体的には、利用分析部２０３は、さらに、機器情報記憶部２０２に記憶されている機器利用情報を分析し、複数の機器１０のうち同時間帯に使用されている２以上の機器を特定することにより複数の機器を使用するユーザが家事を効率化している度合いを算出するとしてもよい。
【００７３】
ここで、家事を効率化している度合いの意味について説明する。
【００７４】
図６は、実施の形態における家事の効率化の一例を示す図である。
【００７５】
図６に示す例では、機器１０は、３口を有するＩＨクッキングヒータであり、機器１０Ａ〜機器１０Ｃはそれぞれ、３口のうちの左側、中央および右側に対応する。また、図６には、機器１０のうち２口（機器１０Ａおよび機器１０Ｃ）を用いて家事（料理）をしている様子が示されている。そして、機器１０Ｂは、図６では使用されていないが、使用していた様子が示されている。このときの機器利用情報には、同時間帯に機器１０を構成する機器１０Ａ〜機器１０Ｃそれぞれが使用されている動作状態が記録されている。
【００７６】
この場合において、利用分析部２０３は、機器利用情報に基づいて、家事を効率化している度合いを例えば式１で算出すればよい。
【００７７】
（ｄ１+ｄ２）／Ｔ      （式１）
ここで、ｄ１は、機器１０Ａ〜機器１０Ｃを並行して（同時に）使用している時間の割合であり、ｄ２は、機器１０Ａおよび機器１０Ｃ（３口のうちの２口）を並行して使用している時間の割合であり、Ｔは、機器１０を使用している時間すなわち機器１０Ａ〜機器１０Ｃのいずれかを使用している時間である。
【００７８】
このようにして、利用分析部２０３は、機器情報記憶部２０２に記憶されている機器利用情報を分析し、複数の機器１０のうち同時間帯に使用されている２以上の機器を特定することにより、複数の機器を使用するユーザが家事を効率化している度合いを算出することができる。これにより、利用分析部２０３は、機器１０の使いこなし度をユーザが家事を効率化している度合いとして数値化することができるので、複数の機器１０（または機器１０の複数の機能）を同時に稼動させるなどして家事等を効率化しているかを示すユーザの「並行性」を評価できる。
【００７９】
また、上記例において、ＩＨクッキングヒータ（機器１０）の３口（機器１０Ａ〜機器１０Ｃ）を並行して使用していると、調理の効率性が図られており、並行性が高いと評価できる。なお、別の例として、冬に鍋料理の調理をしながら、エアコンの温度設定を上げると、省エネに貢献し、並行性が高いとして評価してもよい。
【００８０】
（４）通知部２０４
通知部２０４は、例えば、利用分析部２０３により特定された第１機能の使用を促す通知を、ユーザに対して行う。また、通知部２０４は、特定された第１機能のうち、機器１０のメンテナンスを実行するための第１機能の使用を促す通知を、ユーザに対して行うとしてもよい。ここで、第１機能の使用を促す通知は、上述した機器１０をユーザに使いこなしてもらうための情報の一例である。
【００８１】
なお、通知部２０４は、通信部２０１を介して、ユーザが使用する機器１０に上記通知を行うとしてもよいし、ユーザが使用するスマートフォンなどの携帯端末やユーザが視聴しているテレビを介して上記通知を行うとしてもよい。
【００８２】
（５）ユーザランク決定部２０５
ユーザランク決定部２０５は、各ユーザについて、利用分析部２０３で分析された結果に基づいて、機器１０または機器１０群の利用度を算出する。
【００８３】
具体的にはユーザランク決定部２０５は、機器１０の利用度として、各ユーザにおける同一種別の機器１０の利用カバー率を算出するとしてもよい。また、ユーザランク決定部２０５は、機器１０群の利用度として、各ユーザについての機器１０群の利用カバー率を算出するとしてもよい。ここで、機器１０群の利用カバー率とは、ユーザが使用する複数の機器が有するすべての機能から、機器１０それぞれの第１機能の数の総数を引いたものである。
【００８４】
また、ユーザランク決定部２０５は、ユーザ情報をランク付けするためのポイントを付与する。例えば、ユーザランク決定部２０５は、機器１０が有する機能の数のうち第１機能の数が少ないほど高いポイントを、その機器１０を使用するユーザのユーザ情報に付与する。
【００８５】
また、ユーザランク決定部２０５は、複数の機器１０の種別のうちの２以上の機器１０の種別を使用するユーザのユーザ情報のうち、当該２以上の機器１０のそれぞれの種別が有する機能のうち特定された第１機能の数が少ない当該２以上の機器を使用するユーザのユーザ情報ほど高いポイントを付与するとしてもよい。
【００８６】
このようにして、ユーザランク決定部２０５は、利用カバー率の高いユーザを低いユーザよりも高いランクにすることができる。これにより、機器を使いこなす楽しさやインセンティブをユーザに与えることができるので、ユーザのモチベーションを高め、ユーザに機器を使いこなすよう仕向けることができることが期待できる。
【００８７】
（６）特典付与部２０６
特典付与部２０６は、機器１０の使いこなしの度合いに応じて特典等のサービスを提供することで、機器１０を使いこなすインセンティブをユーザに与える。
【００８８】
図７Ａ、図７Ｂおよび図８は、実施の形態における特典情報の一例を示す図である。
【００８９】
例えば、特典付与部２０６は、ユーザランク決定部２０５により予め定めたポイント以上にポイントが付与されたユーザ情報に示されるユーザが使用する機器１０の保証期間を延長するとしてもよい。
【００９０】
これは、機器１０が使いこなされており、お手入れ等のメンテナンス機能も定期的に使用されている場合には、実質的に機器１０の寿命が延びると考えられるため、特典として付与してもよいからである。それにより、機器１０を使いこなすインセンティブをユーザに与えることができる。
【００９１】
この場合、ユーザに使いこなしてもらうための情報として、図７Ａまたは図７Ｂに示すように当該機器１０の保証期間を延長する旨の通知を、通知部２０４を介して、ユーザに対して行うとしてもよい。もちろん、図７Ａおよび図７Ｂに示すものを、別途紙面などで送付することで、通知を行うとしてもよい。なお、図７Ａおよび図７Ｂでは、予め定めたポイント以上にポイントが付与されたユーザ情報に示されるユーザをマイスタという称号を与えて他のユーザと差別化している例が示されている。
【００９２】
また、特典付与部２０６は、さらに、予め定めたポイント以上にポイントが付与されたユーザ情報に、所定のコミュニティにおける行為を許可する資格を付与するとしてもよい。
【００９３】
例えば、図８に示すように、機器１０のメーカが運用するコミュニティサイト７００において、投稿資格や応募資格を付与するなどがある。図８では、予め定めたポイント以上にポイントが付与されたユーザ情報に示されるユーザを画面７０１で花の個数でランク付けすることで他のユーザと差別化している例が示されている。
【００９４】
なお、このランク付けは、花の装飾の豪華さで示すとしてもよいし、図７Ａの例のようにマイスタというという称号のテキストで示すとしてもよい。
【００９５】
それにより、コミュニティサイト７００でのランクを上げるようとするように機器１０を使いこなすインセンティブをユーザに与えることができる。
【００９６】
なお、機器１０の使いこなしの度合いに応じた特典等のサービスの提供は上述の例に限らない。コミュニティサイト７００において、同じ属性のユーザ間などで、機器１０を利用するベストプラクティス情報を共有させるサービスの提供を行ってもよい。この場合、ベストプラクティス情報から、ユーザが保有していない機器１０や、ユーザが現時点で使用していない機器１０の機能を利用した場合の情報を得ることができるので、機器１０を使いこなすインセンティブをユーザに与えるとしてもよい。
【００９７】
以上のように、本実施のサーバ装置２０は、機器を使いこなすための情報として、第１機能を特定し、特定した第１機能の使用を促す通知をユーザに行うことにより、機器を使いこなすための情報の提供を行うことができる。
【００９８】
したがって、以上のようにして、複数の機能が搭載されている機器をユーザに使いこなしてもらうための情報を提供することができるユーザ管理方法、サーバ装置を実現することができる。
【００９９】
なお、実施の形態にかかるサーバ装置２０は、通信部２０１と、機器情報記憶部２０２と、利用分析部２０３と、通知部２０４と、ユーザランク決定部２０５と、特典付与部２０６とを備えるとして説明したが、それに限られない。サーバ装置２０の最小構成２０ａとして、機器情報記憶部２０２、利用分析部２０３および通知部２０４を備えていればよい。
【０１００】
次に、以上のように構成されたサーバ装置２０の動作について説明する。
【０１０１】
図９は、実施の形態におけるサーバ装置の動作を示すフローチャートである。図９には、最小構成２０ａが行う動作を示すフローチャートについて示されている。
【０１０２】
まず、サーバ装置２０（最小構成２０ａ）は、機器１０を識別するための機器識別情報と、機器１０を使用するユーザを識別するためのユーザ情報と、機器１０が使用されたときの機器１０の動作状態とを含む機器利用情報を記憶する（Ｓ１０１）。
【０１０３】
次に、サーバ装置２０（最小構成２０ａ）は、Ｓ１０１において記憶された機器利用情報を分析することで、機器１０が有する複数の機能のうち、閾値以下の使用頻度で使用された第１機能を特定する（Ｓ１０２）。
【０１０４】
次に、サーバ装置２０（最小構成２０ａ）は、Ｓ１０２において特定された前記第１機能の使用を促す通知を、ユーザに対して提供する（Ｓ１０３）。
【０１０５】
以上、本発明によれば、複数の機能が搭載されている機器をユーザに使いこなしてもらうための情報を提供することができるユーザ管理方法、サーバ装置およびユーザ管理システムを実現することができる。
【０１０６】
例えば、機器１０や機器１０群の使いこなし度を数値化し、使いこなし度が高いユーザに所定のサービスを提供するなどすることで、機器１０を使いこなすインセンティブをユーザに与えることができる。つまり、機器１０の使いこなしの度合いに応じたサービスが提供することで、機器１０を使いこなすインセンティブをユーザに与えることもできる。
【０１０７】
以上、本発明の一つまたは複数の態様に係るユーザ管理方法、サーバ装置およびユーザ管理システムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【０１０８】
例えば、以下のような場合も本発明の態様の範囲内に含まれる。
【０１０９】
（１）上記の機器およびサーバ装置などの各装置は、具体的には、マイクロプロセッサ、ＲＯＭ、ＲＡＭ、ハードディスクユニット、ディスプレイユニット、キーボード、マウスなどから構成されるコンピュータシステムである。ＲＡＭ又はハードディスクユニットには、コンピュータプログラムが記憶されている。前記マイクロプロセッサが、前記コンピュータプログラムに従って動作することにより、各装置は、その機能を達成する。ここで、コンピュータプログラムは、所定の機能を達成するために、コンピュータに対する指令を示す命令コードが複数個組み合わされて構成されたものである。なお、各装置は、マイクロプロセッサ、ＲＯＭ、ＲＡＭ、ハードディスクユニット、ディスプレイユニット、キーボード、マウスなどの全てを含むコンピュータシステムに限らず、これらの一部から構成されているコンピュータシステムであってもよい。
【０１１０】
（２）また、上記の各装置を構成する構成要素の一部又は全部は、１個のシステムＬＳＩから構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１１１】
なお、ここでは、システムＬＳＩとしたが、集積度の違いにより、ＩＣ、ＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【０１１２】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１１３】
（３）上記の各装置を構成する構成要素の一部又は全部は、各装置に脱着可能なＩＣカード又は単体のモジュールから構成されているとしてもよい。前記ＩＣカード又は前記モジュールは、マイクロプロセッサ、ＲＯＭ、ＲＡＭ、などから構成されるコンピュータシステムである。前記ＩＣカード又は前記モジュールは、上記の超多機能ＬＳＩを含むとしてもよい。マイクロプロセッサが、コンピュータプログラムに従って動作することにより、前記ＩＣカード又は前記モジュールは、その機能を達成する。このＩＣカード又はこのモジュールは、耐タンパ性を有するとしてもよい。
【０１１４】
（４）本発明は、上記に示すユーザ管理システムが備える特徴的な構成部の動作をステップとする方法であるとしてもよい。また、これらの方法をコンピュータにより実現するコンピュータプログラムであるとしてもよいし、前記コンピュータプログラムからなるデジタル信号であるとしてもよい。
【０１１５】
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなど、に記録したものとしてもよい。また、これらの記録媒体に記録されている前記コンピュータプログラム又は前記デジタル信号であるとしてもよい。
【０１１６】
また、本発明は、前記コンピュータプログラム又は前記デジタル信号を、電気通信回線、無線又は有線通信回線、インターネットを代表とするネットワーク、データ放送等を経由して伝送するものとしてもよい。
【０１１７】
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０１１８】
また、前記プログラム又は前記デジタル信号を前記記録媒体に記録して移送することにより、又は前記プログラム又は前記デジタル信号を、前記ネットワーク等を経由して移送することにより、独立した他のコンピュータシステムにより実施するとしてもよい。
【０１１９】
（５）上記実施の形態及び上記変形例をそれぞれ組み合わせるとしてもよい。
【０１２０】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０１２１】
本発明は、複数の機能が搭載されている機器をユーザに使いこなしてもらうための情報を提供する方法、装置、サーバおよびシステム等に利用できる。
【符号の説明】
【０１２２】
１０、１０Ａ、１０Ｂ、１０Ｃ    機器
２０    サーバ装置
２０ａ    最小構成
３０    ネットワーク
１０１、２０１    通信部
１０２    記憶部
１０３    制御部
１０４    入力部
２０２    機器情報記憶部
２０３    利用分析部
２０４    通知部
２０５    ユーザランク決定部
２０６    特典付与部
７００    コミュニティサイト
７０１    画面
【図１】
2014068855.tif 000003
【図２】
2014068855.tif 000004
【図３】
2014068855.tif 000005
【図４】
2014068855.tif 000006
【図５】
2014068855.tif 000007
【図６】
2014068855.tif 000008
【図７Ａ】
2014068855.tif 000009
【図７Ｂ】
2014068855.tif 000010
【図８】
2014068855.tif 000011
【図９】
2014068855.tif 000012
【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
機器を識別するための機器識別情報と、前記機器を使用するユーザを識別するためのユーザ情報と、前記機器が使用されたときの前記機器の動作状態とを含む機器利用情報を記憶する記憶ステップと、
前記記憶ステップにおいて記憶された前記機器利用情報を分析することで、前記機器が有する複数の機能のうち、閾値以下の使用頻度で使用された第１機能を特定する利用分析ステップと、
前記利用分析ステップにおいて特定された前記第１機能の使用を促す通知を、前記ユーザに対して行う通知ステップと、
前記ユーザ情報をランク付けするためのポイントを付与するユーザランク決定ステップと、を含み、
前記ユーザランク決定ステップにおいては、前記利用分析ステップにおける分析結果を用いて、前記機器を使用するユーザのユーザ情報にポイントを付与する、
ユーザ管理方法。
【請求項２】
前記利用分析ステップにおいては、
前記機器利用情報に基づき、前記機器が有する前記複数の機能のうち、前記機器利用情報に示される前記機器の動作状態を実現する第２機能を特定し、かつ、特定した前記第２機能それぞれの使用頻度を算出し、
前記ユーザにより使用された前記機器の前記第２機能のうち閾値以下の使用頻度で使用された機能と前記複数の機能のうち前記第２機能を除く機能であって前記ユーザにより使用されなかった機能とを、前記第１機能として特定する、
請求項１に記載のユーザ管理方法。
【請求項３】
前記閾値は、ゼロであり、
前記第１機能は、前記機器が有する機能のうち前記ユーザにより一度も使用されていない機能である、
請求項１に記載のユーザ管理方法。
【請求項４】
前記通知ステップにおいては、特定された前記第１機能のうち、前記機器のメンテナンスを実行するための第１機能の使用を促す通知を、前記ユーザに対して行う、
請求項１〜３のいずれか１項に記載のユーザ管理方法。
【請求項５】
前記ユーザランク決定ステップにおいては、前記機器が有する機能の数のうち前記第１機能の数が少ないほど高いポイントを、前記機器を使用するユーザのユーザ情報に付与する、
請求項１〜４のいずれか１項に記載のユーザ管理方法。
【請求項６】
さらに、予め定めたポイント以上に前記ポイントが付与された前記ユーザ情報に示されるユーザが使用する前記機器の保証期間を延長する特典付与ステップを含む、
請求項５に記載のユーザ管理方法。
【請求項７】
さらに、予め定めたポイント以上に前記ポイントが付与された前記ユーザ情報に、所定のコミュニティにおける行為を許可する資格を付与する特典付与ステップを含む、
請求項５に記載のユーザ管理方法。
【請求項８】
前記機器は、複数あり、
前記利用分析ステップにおいては、さらに、前記記憶ステップにおいて記憶された機器利用情報を分析し、前記複数の機器のうち同時間帯に使用されている２以上の機器を特定することにより前記複数の機器を使用するユーザが家事を効率化している度合いを算出する、
請求項１に記載のユーザ管理方法。
【請求項９】
さらに、複数の前記機器それぞれと通信することで、前記複数の機器それぞれの機器利用情報を受信する通信ステップを含み、
前記機器識別情報は、前記複数の機器それぞれの種別を識別するための情報であり、
前記利用分析ステップにおいては、前記複数の機器それぞれの機器利用情報を分析することで、前記複数の機器それぞれの種別が有する複数の機能のうち、前記複数の機器それぞれの種別に定められた閾値以下の使用頻度で使用された機能を、前記第１機能として、特定する、
請求項１〜４のいずれか１項に記載のユーザ管理方法。
【請求項１０】
前記ユーザランク決定ステップにおいては、前記複数の機器の種別のうちの２以上の機器の種別を使用するユーザのユーザ情報のうち、当該２以上の機器のそれぞれの種別が有する機能のうち特定された前記第１機能の数が少ない当該２以上の機器を使用するユーザのユーザ情報ほど高いポイントを付与する、
請求項９に記載のユーザ管理方法。
【請求項１１】
機器を識別するための機器識別情報と、前記機器を使用するユーザを識別するためのユーザ情報と、前記機器が使用されたときの前記機器の動作状態とを含む機器利用情報を記憶する機器情報記憶部と、
前記機器情報記憶部に記憶されている機器利用情報を分析することで、前記機器が有する複数の機能のうち、閾値以下の使用頻度で使用された第１機能を特定する利用分析部と、
前記利用分析部により特定された前記第１機能の使用を促す通知を、前記ユーザに対して行う通知部と、
前記ユーザ情報をランク付けするためのポイントを付与するユーザランク決定部と、を備え、
前記ユーザランク決定部は、前記利用分析部における分析結果を用いて、前記機器を使用するユーザのユーザ情報にポイントを付与する、
サーバ装置。
【請求項１２】
機器と、サーバ装置とを備えるユーザ管理システムであって、
前記サーバ装置は、
前記の機器を識別するための機器識別情報と、前記機器を使用するユーザを識別するためのユーザ情報と、前記機器それぞれが使用されたときの前記機器の動作状態とを含む機器利用情報を記憶する機器情報記憶部と、
前記機器情報記憶部に記憶されている機器利用情報を分析することで、前記機器が有する複数の機能のうち、閾値以下の使用頻度で使用された第１機能を特定する利用分析部と、
前記利用分析部により特定された前記第１機能の使用を促す通知を、前記ユーザに対して行う通知部と、
前記ユーザ情報をランク付けするためのポイントを付与するユーザランク決定部と、を備え、
前記ユーザランク決定部は、前記利用分析部における分析結果を用いて、前記機器を使用するユーザのユーザ情報にポイントを付与する、
ユーザ管理システム。
【国際調査報告】
2014068855.tif 000013
2014068855.tif 000014
2014068855.tif 000015
2014068855.tif 000016